(57)【要約】【課題】簡単な構成であって、安価に展望設備を設置することができる回転式展望装置を提供する。【解決手段】建築物１４の内部または周囲に設けられ、始点と終端を連結したループ状をしたガイド１６と、ガイド１６に移動自在に載せられた観覧車１２と、観覧車１２を駆動する駆動手段である動力車１８とを備える。観覧車１２はガイド１６に沿って連結して成り、観覧車１２はガイド１６上で全体的に無限軌道状に繋がれている。また、駆動手段は、観覧車１２の側面に当接する回転駆動体であっても良い。【選択図】      図１
2004180842.tif 000002
【特許請求の範囲】
【請求項１】
建築物の内部または周囲に設けられ、始点と終端を連結したループ状をしたガイドと、このガイドに移動自在に載せられた観覧車と、この観覧車を駆動する駆動手段とを備え、上記観覧車は上記ガイドに沿って連結して成ることを特徴とする回転式展望装置。
【請求項２】
上記観覧車は上記ガイド上で全体的に無限軌道状の構造を成すことを特徴とする請求項１記載の回転式展望装置。
【請求項３】
上記駆動手段は、駆動装置を保持した動力車を上記観覧車の間に一台または複数台組み込んで成り、一定スピードで全観覧車を同時に周回させるものであることを特徴とする請求項１記載の回転式展望装置。
【請求項４】
上記駆動手段は、上記ガイドの一部に設置した回転駆動体から成り、この回転駆動体を上記観覧車の外壁に押し当てて観覧車を動かすことを特徴とする請求項１記載の回転式展望装置。
【発明の詳細な説明】
【０００１】
【発明の属する技術分野】
この発明は、ビル最上階等に建設される回転型の展望装置に関する。
【０００２】
【従来の技術】
【特許文献１】特開２００２−６６１５０号公報
【特許文献２】特開２００２−１４３５６９号公報
【特許文献３】特開２００２−２５３８６７号公報
従来の一般的な回転展望台は、ほぼ円形をしており、展望装置の中心軸をモーターで回転させたり、展望席の部分を駆動ローラー上に乗せて展望席の部分を移動させる方法が使われている。
【０００３】
【発明が解決しようとする課題】
上記従来の回転式展望台は、いずれも展望席全体が一体型のため、設備のバランスをとるのが困難であり、レベルの高い建設技術が必要とされる。したがって設備建設に要する費用が非常に高くなる。また、展望台の建設に関しては、設置場所毎に異なる条件により各々特注形式のため、コストが下がらないことも建設費用が高くつく要因でもある。さらには、現在の回転展望台設備は、その構造上、どの様な建物で、どの様な場所でも設置できると言うものでは無い。回転する展望台を支えるためには、その建築物本体の強度を上げたり、巨大で円形な構造物のため、建物の最上階でなければならないといった制約もある。建物本体の占有面積の形状や規模により、設置不可能と判断されるケースも多い。
【０００４】
この発明は、上記従来の技術の問題点に鑑みてなされたもので、簡単な構成であって、安価に展望設備を設置することができる回転式展望装置を提供することを目的とする。
【０００５】
【課題を解決するための手段】
この発明は、建築物に設置され、始点と終端を連結したループ状をしたレール上もしくは溝等のガイドに、カプセル状の観覧車を乗せるものである。この観覧車はレールもしくはガイドに沿って、ほぼ隙間無く観覧車を乗せてループ状に連結する。全体的には、無限軌道状の構造を成し、その観覧車の間に、駆動装置を保持した動力車を一台または複数台組み込んでおき、一定スピードで全観覧車を同時に周回させることができる様にする。
【０００６】
また駆動方法は前述の駆動車による方法以外に、ループ状に連結された観覧車を移動させるため、ガイド溝の一部に設置した回転駆動体であるローラーや歯車を回転させ、その回転駆動体を観覧車の外壁に押し当てて、回転駆動体の観覧車を動かす方法でもよい。
【０００７】
この回転式展望装置は、観覧車全体を低速でかつ一定のスピードで周回させる方法として最適であり、種々の観覧車を展望車として利用可能となる。
【０００８】
【発明の実施の形態】
以下、この発明の実施の形態について、図面に基づいて説明する。図１〜図４は、この発明の一実施形態の回転式展望装置を示す。本発明の回転式展望装置１０は、展望車として観覧車１２を周回させるもので、ビル等の建築物１４の屋上または最上階部分に、レールもしくは溝等のガイド１６がループ上に形成されている。ガイド１６は、円形状である必要は無く、設置される建築物１４が四角い建物であってもその形状に合わせることが出来、かつ観覧車１２の数を適宜加減する。観覧車１２は、ガイド１６の全周に亘って配置され、そのうちの１または複数車両が動力車１８となる。
【０００９】
設置する場所は、建築物１４の外壁の外側に設置する構造や、外壁の観覧車幅の軌道分を抉った部分に、観覧車１２を周回させる構造でも良い。後者は安全面において前者よりはるかに優秀であり、新設されるビルにおいては特に有効である。さらに美観上の点でも優れたものになる。また、建築物１４の内部の壁に沿って設置する構造もある。
【００１０】
観覧車１２は、全てを連結して数珠状に繋ぎ合わせて周回させる方法として、レール状のガイド１６を設けるものが一番安定しているが、展望観覧車１２の幅より若干広めのＵ字状の連続したコンクリート、金属板等で溝を構築し、その溝を通路としてゴムのタイヤを有する観覧車１２を連結して周回させる方法でも良い。この場合は、Ｕ字状の側壁の高さは、転落や脱輪を防ぐ為に、タイヤの高さより上の位置まで確保すると良い。この方式は、レール方式に比べて設備が簡素なため、回転展望台の装置と建設費用が格段に安くなるので既存のビルの屋上等を改造して設置する場合に有効である。
【００１１】
さらに、前述のＵ字状の溝に水を注入して、この水路をガイド１６とし、船状の観覧車を浮かべて周回させる方法もある。この方式は更に廉価になり、温暖な地域での活用では、涼しさを売り物にすれば十分利用価値はある。
【００１２】
観覧車１２の車輪がレール上を走る車輪か、自動車のタイヤであるかは利用者からは見えないので、ガイド１６の構造は、この回転式展望装置１０の設置される建築物１４や利用目的に合わせて建設者が自由に選択できる。
【００１３】
観覧車１２の構造は、図３に示すように、カプセル状やトロッコ形状等に形成され、内部に客席２０やテーブル２２を設置する。建築物１４の室内側は、開口部２４として常時開かれたものでも良く、ドアを設けたものでも良い。また、観覧車１２の建築物１４の室外側は、ガラスや透明なアクリル板等により塞がれた窓２６が設けられ、安全に展望可能に形成されている。
【００１４】
また、展望車として利用する観覧車１２は、一方の側もしくは両側を開放状態とすることにより、展望台の内側から見ると、展望席の床がゆっくり動いて見え、従来型の一体型回転展望台と同様の効果がある。
【００１５】
観覧車１２を数珠状に繋ぎ合わせることの効果は、従来型の回転展望台と外観、内部の見た目に同様もしくはそれ以上の効果が発生し、展望客を単に観覧車を数両編成で運行する観覧列車イメージと質を異にする。また、低速でかつ一定スピードで安定して周回させるには、数珠状に繋ぎ合わせておいた方が最良である。子供や老人が軌道内を横切ることによる接触や衝突事故または転落事故を防止することもできる。観覧車１２に対して、展望客は連続して乗降が可能となり、スムーズな客の流れを作り出せる。連結する観覧車１２間の連結部は、全て蛇腹状の膜で覆うことにより、見た目に展望席を一体化させると同時に巻き込み事故を防止することができる。
【００１６】
この実施形態の回転式展望装置１０によれば、展望席の部分を、色や形等の異なるパーツとして大量生産すれば、それらのパーツを組み合わせることにより、どの様な場所、形状もしくは、大規模や小規模といった事も全く問題なく、ユーザーの希望する条件の設備が、廉価でかつ短期間で提供可能となる。
【００１７】
なお、この回転式展望装置１０は、建築物の屋上に設置することについて問題ないが、図４に示すように、建築物のどの階にでも設置できるというメリットもある。さらに、一つの建築物１４に、何連もの回転展望台を構築できる。これは、建築物１４の外観も非常にユニークで興味をそそる効果がある。カラフルな展望席のカプセルが数珠繋ぎになってゆっくり動いている様は、下から見上げても非常に美しい景色である。
【００１８】
【発明の効果】
この発明の回転式展望装置は、建築物の形状や規模を選ばず、ユーザーの希望する条件の設備が、廉価でかつ短期間で提供可能となる。また、建築物の屋上のみならず、どの階にでも設置できる。
【００１９】
さらに、本発明の回転式展望装置は、喫茶、レストラン等店舗として利用すれば一石二鳥である。また、観覧車そのものは非常にゆっくり進むので、軌道内にお土産や各種商品ブースを配置しておくことにより、自由に観覧車から降りて品物の購入もできるので、展望台としての収入以外に与える売上げ効果は非常に大きなものとなる。例えば、夏はビヤガーデン、夜はデートスポットといった利用方法も想定できる。逆の発想として、お客様を乗せるのではなく、ファッションショーやオークションのステージとして利用することも可能であり応用範囲は大きい。特に屋内での利用方法として、展覧会や美術館の中にこの展望台設備を利用することも可能である。この時に展望席は絵画でも良いしお客様でも良い。その時の選択は主催者が自由に選択可能であり、今までにない形態での運営が可能となる。
【００２０】
また、ビルの１階にこの回転展望台をレストランや喫茶店として利用することも可能であり、斬新なショウウインドウとしての活用方法もある。従来型の店舗と異なるユニークさにより集客力が向上する。
【図面の簡単な説明】
【図１】この発明の一実施形態の回転式展望装置を模式的に示す平面図である。
【図２】この発明の一実施形態の回転式展望装置を模式的に示す正面図である。
【図３】この発明の一実施形態の回転式展望装置の観覧車の縦断面図である。
【図４】この発明の他の一実施形態の回転式展望装置を模式的に示す縦断面図である。
【符号の説明】
１０  回転式展望装置
１２  観覧車
１４  建築物
１６  ガイド
１８  動力車
【図１】
2004180842.tif 000003
【図２】
2004180842.tif 000004
【図３】
2004180842.tif 000005
【図４】
2004180842.tif 000006